(57)【特許請求の範囲】
【請求項１】
操作者が手で保持して操作するハンドタイプとして使用可能である、骨プレートの曲げ加工用のベンダであって、
ベンダ本体と、
該ベンダ本体に取り外し可能に取り付けられ前記骨プレートを支持する着脱部品とを備え、
前記ベンダ本体が、操作者の手に把持され前記操作者によって手動操作される操作部を有し、該操作部に加えられた外力に応じた曲げ力を前記着脱部品に支持された前記骨プレートに作用させ、
該操作部に、前記ベンダを支持する台座に前記操作部を取り外し可能に固定するためのベンダ側固定機構が設けられ、該ベンダ側固定機構を利用して前記操作部を前記台座に固定することによって前記ベンダはテーブルタイプとして使用可能であり、
前記ベンダ本体は、前記着脱部品が取り付けられる取付部と、該取付部に対して開閉可能である押圧部とを有し、該押圧部が、前記外力に従って閉じることによって前記骨プレートに押圧力を作用させ、
前記操作部が、前記取付部と接続された第１グリップ部と、前記押圧部と接続された第２グリップ部とを有し、前記第１グリップ部および前記第２グリップ部が連結部において相互に揺動可能に連結され、前記第１グリップ部および前記第２グリップ部の相互に近接する方向の揺動によって前記押圧部が前記取付部に対して閉じ、
前記第１グリップ部に前記ベンダ側固定機構が設けられ、前記操作部を前記台座に固定した状態において、前記第１グリップ部が前記第２グリップ部に対して前記台座側に配置されると共に前記取付部が前記押圧部に対して前記台座側に配置される、ベンダ。
【請求項２】
操作者が手で保持して操作するハンドタイプとして使用可能である、骨プレートの曲げ加工用のベンダであって、
ベンダ本体と、
該ベンダ本体に取り外し可能に取り付けられ前記骨プレートを支持する着脱部品とを備え、
前記ベンダ本体が、操作者の手に把持され前記操作者によって手動操作される操作部を有し、該操作部に加えられた外力に応じた曲げ力を前記着脱部品に支持された前記骨プレートに作用させ、
該操作部に、前記ベンダを支持する台座に前記操作部を取り外し可能に固定するためのベンダ側固定機構が設けられ、該ベンダ側固定機構を利用して前記操作部を前記台座に固定することによって前記ベンダはテーブルタイプとして使用可能であり、
前記着脱部品に、該着脱部品を前記台座に対して位置決めするためのベンダ側位置決め機構が設けられている、ベンダ。
【請求項３】
前記ベンダ本体は、前記着脱部品が取り付けられる取付部と、該取付部に対して開閉可能である押圧部とを有し、
該押圧部が、前記外力に従って閉じることによって前記骨プレートに押圧力を作用させる、請求項２に記載のベンダ。
【請求項４】
前記着脱部品が、相互に空間をあけて配置され２つの受け部を有し、前記押圧部が前記２つの受け部間に架けられた前記骨プレートに前記押圧力を作用させる請求項１または請求項３に記載のベンダ。
【請求項５】
前記第２グリップ部に着脱可能であり、前記第２グリップ部の長手方向に沿って前記連結部とは反対方向に延びる延長グリップ部を備える請求項１に記載のベンダ。
【請求項６】
前記ベンダ側固定機構が、前記操作部の加工によって形成された凹部または凸部である請求項１から請求項５のいずれかに記載のベンダ。
【請求項７】
前記ベンダ側固定機構は、ねじが貫通する通し穴である請求項６に記載のベンダ。
【請求項８】
前記ベンダ側位置決め機構が、前記着脱部品の加工によって形成された凹部または凸部である請求項２に記載のベンダ。
【請求項９】
前記ベンダ側位置決め機構が、溝である請求項２に記載のベンダ。
【請求項１０】
請求項１から請求項９のいずれかに記載のベンダと、
該ベンダを支持する台座とを備え、
該台座が、前記操作部を支持する基端支持部を有し、該基端支持部に、前記ベンダ側固定機構と協働して前記操作部を前記台座に固定する台座側固定機構が設けられているベンダシステム。
【請求項１１】
操作者が手で保持して操作するハンドタイプとして使用可能である、骨プレートの曲げ加工用のベンダと、
該ベンダを支持する台座とを備え、
前記ベンダが、
ベンダ本体と、
該ベンダ本体に取り外し可能に取り付けられ前記骨プレートを支持する着脱部品とを備え、
前記ベンダ本体が、操作者の手に把持され前記操作者によって手動操作される操作部を有し、該操作部に加えられた外力に応じた曲げ力を前記着脱部品に支持された前記骨プレートに作用させ、
該操作部に、前記ベンダを支持する台座に前記操作部を取り外し可能に固定するためのベンダ側固定機構が設けられ、該ベンダ側固定機構を利用して前記操作部を前記台座に固定することによって前記ベンダはテーブルタイプとして使用可能であり、
前記台座が、前記着脱部品を支持する先端支持部と、前記操作部を支持する基端支持部とを有し、該基端支持部に、前記ベンダ側固定機構と協働して前記操作部を前記台座に固定する台座側固定機構が設けられているベンダシステム。
【請求項１２】
前記着脱部品に、該着脱部品を前記台座に対して位置決めするためのベンダ側位置決め機構が設けられ、
前記先端支持部に、前記ベンダ側位置決め機構と協働して前記着脱部品を前記台座に対して位置決めする台座側位置決め機構が設けられている請求項１１に記載のベンダシステム。
【発明の詳細な説明】
【技術分野】
【０００１】
本発明は、骨プレート用のベンダおよびベンダシステムに関するものである。
【背景技術】
【０００２】
従来、整形外科では、骨折等の治療法として骨プレートを使用した骨接合術が行われている（例えば、特許文献１参照。）。患者の骨形状に合わせて骨プレートを曲げる成形作業が術中に行われる。
骨プレートの成形作業には、ベンダが使用されている。ベンダには、ハンドタイプとテーブルタイプとがあり、それぞれ利点および不利点がある。
【０００３】
例えば、ハンドタイプの場合、取り扱いが容易である、安価である、といった点で有利であるが、曲げ力が小さいといった点で不利である。
テーブルタイプの場合、曲げ力が大きい、骨プレートを受ける受け部の交換によって多種の骨プレートに対応することができる、といった点で有利であるが、高価である、ベンダの設置に安定した台が必要である、といった点で不利である。
【先行技術文献】
【特許文献】
【０００４】
【特許文献１】特開２０１５−１６７７７９号公報
【発明の概要】
【発明が解決しようとする課題】
【０００５】
上記のように、骨プレート用のベンダには、ハンドタイプおよびテーブルタイプが存在し、それぞれ利点および不利点を有する。したがって、状況に応じてハンドタイプおよびテーブルタイプを使い分け可能にするためには、ハンドタイプおよびテーブルタイプの両方を用意する必要がある。
【０００６】
本発明は、上述した事情に鑑みてなされたものであって、ハンドタイプおよびテーブルタイプのいずれでも使用することができる骨プレート用のベンダおよびベンダシステムを提供することを目的とする。
【課題を解決するための手段】
【０００７】
上記目的を達成するため、本発明は以下の手段を提供する。
本発明の一態様は、操作者が手で保持して操作するハンドタイプとして使用可能である、骨プレートの曲げ加工用のベンダであって、ベンダ本体と、該ベンダ本体に取り外し可能に取り付けられ前記骨プレートを支持する着脱部品とを備え、前記ベンダ本体が、操作者の手に把持され前記操作者によって手動操作される操作部を有し、該操作部に加えられた外力に応じた曲げ力を前記着脱部品に支持された前記骨プレートに作用させ、該操作部に、前記ベンダを支持する台座に前記操作部を取り外し可能に固定するためのベンダ側固定機構が設けられ、該ベンダ側固定機構を利用して前記操作部を前記台座に固定することによって前記ベンダはテーブルタイプとして使用可能である、ベンダである。
【０００８】
本態様に係るベンダは、操作者が手で保持して操作するハンドタイプとして使用される。操作者が自身の手に把持した操作部に外力を加えると、外力に応じた曲げ力が着脱部品に支持された骨プレートに作用する。操作者は、操作部に加える外力の大きさを調整することによって、骨プレートを所望の角度に曲げることができる。また、ベンダ本体に取り付ける着脱部品を交換することによって、１台のベンダ本体を使用して多種の骨プレートの曲げ加工を行うことができる。
【０００９】
この場合に、ベンダ側固定機構を利用して操作部を台座に固定することによって、ベンダをテーブルタイプとしても使用することができる。テーブルタイプの場合、操作部が台座に固定されるので、ハンドタイプの場合と比較して、より大きな外力を操作部に加えてより大きな曲げ力を骨プレートに作用させることができる。
【００１０】
上記態様において、前記ベンダ本体は、前記着脱部品が取り付けられる取付部と、該取付部に対して開閉可能である押圧部とを有し、該押圧部が、前記外力に従って閉じることによって前記骨プレートに押圧力を作用させてもよい。
この構成によれば、押圧部によって押圧される部分において骨プレートを曲げることができる。
【００１１】
上記態様において、前記着脱部品が、相互に空間をあけて配置され２つの受け部を有し、前記押圧部が前記２つの受け部間に架けられた前記骨プレートに前記押圧力を作用させてもよい。
この構成によれば、簡単な構成で押圧部の閉動作を邪魔しないように骨プレートを支持することができる。
【００１２】
上記態様の一実施形態において、前記操作部が、前記取付部と接続された第１グリップ部と、前記押圧部と接続された第２グリップ部とを有し、前記第１グリップ部および前記第２グリップ部が連結部において相互に揺動可能に連結され、前記第１グリップ部および前記第２グリップ部の相互に近接する方向の揺動によって前記押圧部が前記取付部に対して閉じ、前記第１グリップ部に前記ベンダ側固定機構が設けられる。
この構成によれば、ハンドタイプでの使用時、第１および第２グリップ部を手で握り第１および第２グリップ部に相互に近接する方向の握力を加えることによって、押圧部を閉じて骨プレートに押圧力を作用させることができる。また、テーブルタイプでの使用時、台座に固定された第１グリップ部に向かって第２グリップ部を押圧することによって、静止する着脱部品および骨プレートに対して押圧部を移動させることができる。
【００１３】
上記態様において、前記第２グリップ部に着脱可能であり、前記第２グリップ部の長手方向に沿って前記連結部とは反対方向に延びる延長グリップ部を備えていてもよい。
この構成によれば、テーブルタイプでの使用時、第２グリップ部に接続された延長グリップ部を押圧することによって、第２グリップ部の揺動に必要な力を低減することができる、または、より大きな外力を第２グリップ部に加えることができる。
【００１４】
上記態様において、前記ベンダ側固定機構が、前記操作部の加工によって形成された凹部または凸部であってもよい。例えば、前記ベンダ側固定機構は、ねじが貫通する通し穴であってもよい。
この構成によれば、操作部の一部の加工のみでベンダ側固定機構を設けることができる。つまり、機械的な部品を操作部に設ける必要が無いので、操作部の製造、取り扱いおよびメンテナンスが容易である。
【００１５】
上記態様の一実施形態において、前記着脱部品に、該着脱部品を前記台座に対して位置決めするためのベンダ側位置決め機構が設けられる。
この構成によれば、テーブルタイプでの使用時、ベンダ側位置決め機構を利用して着脱部品を台座に位置決めすることによって、着脱部品および着脱部品に支持された骨プレートの位置および姿勢をより安定させることができる。
【００１６】
上記態様において、前記ベンダ側位置決め機構が、前記着脱部品の加工によって形成された凹部または凸部であってもよい。例えば、前記ベンダ側位置決め機構が、溝であってもよい。
この構成によれば、着脱部品の一部の加工のみでベンダ側位置決め機構を設けることができる。つまり、機械的な部品を着脱部品に設ける必要が無いので、着脱部品の製造、取り扱いおよびメンテナンスが容易である。
【００１７】
本発明の他の態様は、上記いずれかに記載のベンダと、該ベンダを支持する台座とを備え、該台座が、前記操作部を支持する基端支持部を有し、該基端支持部に、前記ベンダ側固定機構と協働して前記操作部を前記台座に固定する台座側固定機構が設けられているベンダシステムである。
上記他の態様において、前記台座が、前記着脱部品を支持する先端支持部を有していてもよい。さらに、前記先端支持部に、前記ベンダ側位置決め機構と協働して前記着脱部品を前記台座に対して位置決めする台座側位置決め機構が設けられていてもよい。
【発明の効果】
【００１８】
本発明によれば、ハンドタイプおよびテーブルタイプのいずれでも使用することができるという効果を奏する。
【図面の簡単な説明】
【００１９】
【図１】本発明の一実施形態に係るベンダおよびベンダシステムの全体構成を示す斜視図である。
【図２】台座にベンダを取り付けた状態の図１のベンダシステムの斜視図である。
【図３】図１のベンダシステムの先端部の正面図である。
【図４】図１のベンダシステムの先端部の側面図である。
【図５】図１のベンダシステムのベンダ側固定機構および台座側固定機構を示す部分拡大図である。
【図６】図１のベンダの変形例の全体構成を示す斜視図である。
【発明を実施するための形態】
【００２０】
以下に、本発明の一実施形態に係るベンダシステム１００について図面を参照して説明する。
ベンダシステム１００は、操作者の手動操作によって骨プレートＰを曲げ加工するためのものであり、図１に示されるように、ベンダ１と、ベンダ１を支持する台座２０とを備える。ベンダ１は、操作者が片手で保持することができるサイズおよび重量を有し、ベンダ１単体でハンドタイプとして使用することができる。また、ベンダ１は、台座２０に着脱可能であり、台座２０と組み合わせてテーブルタイプとしても使用することができる。図２は、テーブルタイプでのベンダ１の使用状態を示している。
【００２１】
ベンダ１は、プライヤ状の器具であるベンダ本体２と、ベンダ本体２に取り外し可能に取り付けられ骨プレートＰを支持する着脱部品３とを備える。
ベンダ本体２は、相互に揺動可能に連結された第１半体４１および第２半体４２を有し、先端側および基端側において開閉する。第１半体４１の先端には、着脱部品３が取り付けられる取付部５が設けられ、第２半体４２の先端には、骨プレートＰに押圧力（曲げ力）を作用させる押圧部６が設けられている。第１半体４１の基端および第２半体４２の基端には、第１グリップ部７１および第２グリップ部７２がそれぞれ設けられている。グリップ部７１，７２は、操作者の手に把持され操作者によって手動操作される操作部７を構成している。
【００２２】
第１半体４１および第２半体４２は、先端と基端との間に設けられた連結部８ａ，８ｂにおいて相互に揺動可能に連結されている。グリップ部７１，７２が相互に近接する閉方向に揺動して閉じることによって取付部５および押圧部６が相互に閉じ、グリップ部７１，７２が相互に離間する開方向に揺動して開くことによって取付部５および押圧部６が相互に開く。したがって、操作者は、グリップ部７１，７２を片手で握って閉じることによって取付部５に対して押圧部６を閉じることができる。グリップ部７１，７２に外力が作用していない状態でグリップ部７１，７２が開くように、グリップ部７１，７２は、ばね等の付勢部材によって開方向に付勢されていてもよい。
【００２３】
参照する図面に示される例において、第１半体４１および第２半体４２は２つの連結部８ａ，８ｂにおいて連結され、取付部５および押圧部６が第１連結部８ａ回りに揺動し、グリップ部７１，７２が第２連結部８ｂ回りに揺動する。第１半体４１は、連続する単一の部材から形成されている。第２半体４２は、押圧部６および連結部８ａを含む第１部材と、第２グリップ部７２および連結部８ｂを含む第２部材とを有し、第１部材および第２部材はリンク機構９によって相互に揺動可能に連結されている。リンク機構９は、第２グリップ部７２の第１グリップ部７１に対する閉動作を押圧部６に伝達して該押圧部６を取付部５に対して閉動作させるように、構成されている。
また、グリップ部７１，７２の相対移動量に比べて取付部５および押圧部６の相対移動量が小さくなるように連結部８ａ，８ｂの位置が設計され、グリップ部７１，７２に加えられた握力よりも大きな押圧力が押圧部６において発生するように構成されている。
【００２４】
着脱部品３は、ブロック状の部品である。着脱部品３は、取付部５が嵌合する取付穴１０と、相互に空間をあけて配置された２つの受け部１１ａ，１１ｂとを有する。
取付部５は、例えば第１半体４１の長手方向に延びる柱状であり、取付穴１０内に取付部５を第１半体４１の長手方向に挿入することによって取付部５に着脱部品３を取り付けることができる。第１半体４１に対する着脱部品３の回転を阻止するために、取付部５および取付穴１０の横断面形状は非円形、例えば長方形等の多角形であることが好ましい。
着脱部品３は、任意の手段によって取付部５に対して固定解除可能に固定される。例えば、着脱部品３の外面から取付穴１０までねじ穴が形成され、ねじ穴内の止めねじを締め込むことによって着脱部品３が取付部５に固定される。あるいは、クリック機構によって着脱部品３が取付部５に固定されてもよい。
【００２５】
図３に示されるように、受け部１１ａ，１１ｂは、同一平面上に配置される平坦面であり、受け部１１ａ，１１ｂ上に平坦な骨プレートＰが載置される。受け部１１ａ，１１ｂ間には、受け部１１ａ，１１ｂ間に空間を形成する凹部１２が設けられている。着脱部品３が取付部５に取り付けられた状態において、凹部１２は、押圧部６と対向し、受け部１１ａ，１１ｂに対して押圧部６とは反対側に向かって凹む。取付部５および押圧部６の閉動作において、押圧部６は、凹部１２に向かって移動し受け部１１ａ，１１ｂ間に架け渡された骨プレートＰを押圧する。
図４に示されるように、押圧部６よりも基端側において受け部１１ａ，１１ｂから立ち上がり、受け部１１ａ，１１ｂ上の骨プレートＰの側面が突き当てられる突き当て面１３が着脱部品３にさらに設けられていてもよい。
【００２６】
複数種類の骨プレートＰに対応することができるように複数の着脱部品３が用意されていてもよい。例えば、複数の着脱部品３は、受け部１１ａ，１１ｂ間の間隔、受け部１１ａ，１１ｂの寸法および凹部１２の深さ等において相互に相違する。
【００２７】
第１グリップ部７１には、第１グリップ部７１を台座２０に固定するためのベンダ側固定機構１４が設けられている。着脱部品３には、着脱部品３を台座２０に対して位置決めするためのベンダ側位置決め機構１５が設けられている。
ベンダ側固定機構１４は、第１グリップ部７１の基端部に形成され、後述するねじ２５ｂが挿入される通し穴（凹部）である。通し穴１４は、グリップ部７１，７２の配列方向である上下方向に第１グリップ部７１を貫通している。通し穴１４は、第１グリップ部７１の材料に切削加工のような加工を施すによって形成される。
ベンダ側位置決め機構１５は、着脱部品３の側面に形成された溝（凹部）である。溝１５は、第１半体４１の長手方向に対応する方向に直線状に延びている。溝１５は、着脱部品３の材料に切削加工のような加工を施すことによって形成される。
【００２８】
台座２０は、直線状に延びる長尺の部材であり水平に配置される柱状部材２１と、柱状部材２１の基端に設けられた基端支持部２２と、柱状部材２１の先端に設けられた先端支持部２３とを備える。基端支持部２２は、第１グリップ部７１の基端部を支持する部分であり、先端支持部２３は、取付部５に取り付けられた着脱部品３を支持する部分である。したがって、支持部２２，２３間の間隔は、第１グリップ部７１の基端部と取付部５との間の間隔と同等である。
【００２９】
台座２０の安定性を高めるために、台座２０は、柱状部材２１の下面に固定され、柱状部材２１から左右両側に広がる薄く平坦な平板部材２４ａ，２４ｂをさらに備えていてもよい。左右方向は、柱状部材２１の長手方向に直交する水平方向である。参照する図面において、柱状部材２１の両端部に２つの平板部材２４ａ，２４ｂが設けられている。
【００３０】
基端支持部２２は、柱状部材２１の基端部からなる。図５に示されるように、基端支持部２２には、通し穴１４と協働して第１グリップ部７１の基端部を台座２０に固定する台座側固定機構として、柱状部材２１の基端部に形成され鉛直方向に延びるねじ穴２５ａと、ねじ穴２５ａと締結されるねじ２５ｂとが設けられている。ねじ２５ｂを通し穴１４を経由してねじ穴２５ａにねじ込むことによって、第１グリップ部７１が柱状部材２１に対していずれの方向にも移動しないように、第１グリップ部７１を柱状部材２１の基端部に固定することができる。
【００３１】
第１グリップ部７１が台座２０に固定された状態において、第１グリップ部７１の上方に第２グリップ部７２が配置される。したがって、操作者は、第２グリップ部７２に下方に向かう押圧力（外力）を加えることによって、取付部５に対して押圧部６を閉じることができる。
ねじ２５ｂの先端をねじ穴２５ａに締結したまま通し穴１４にねじ２５ｂを通すことができるように、通し穴１４から第１グリップ部７１の基端面まで延びねじ２５ｂが通過可能な通路７１ａが形成されていてもよい。
【００３２】
基端支持部２２は、柱状部材２１の基端部の周囲に配置され、柱状部材２１に対して第１グリップ部７１を位置決めするための位置決め部材２２ａを有していてもよい。位置決め部材２２ａは、上側および先端側において開口する凹部２２ｂを有する。第１グリップ部７１の基端部を凹部２２ｂに嵌合させることによって、通し穴１４がねじ穴２５ａと一致する位置に第１グリップ部７１を位置決めすることができる。
【００３３】
先端支持部２３は、柱状部材２１の先端部に固定されたブロック状の部材であり、着脱部品３が載置される水平な支持面２３ａを有する。支持面２３ａ上の着脱部品３は、支持面２３ａの左右両側の辺から立ち上がる一対の側面２３ｂ，２３ｃによって左右方向に位置決めされる。
【００３４】
先端支持部２３には、溝１５と協働して着脱部品３を台座２０に対して位置決めする台座側固定機構として、溝１５内に挿入される突起２６が設けられている。突起２６は、側面２３ｂ，２３ｃから突出し柱状部材２１の長手方向に平行な方向に延びている。着脱部品３を支持面２３ａに沿ってスライドさせることによって、溝１５内に突起２６を挿入し、着脱部品３を先端支持部２３に対して上下方向に位置決めすることができる。着脱部品３を先端支持部２３にねじ止めするためのねじ穴が先端支持部２３にさらに設けられていてもよい。
【００３５】
次に、ベンダシステム１００の作用について説明する。
ベンダ１をハンドタイプで使用する場合、操作者は、図３および図４に示されるように、取付部５に取り付けられた着脱部品３と押圧部６との間に骨プレートＰを挿入して受け部１１ａ，１１ｂ上に骨プレートＰを載置し、骨プレートＰの側面を突き当て面１３に突き当てることによって骨プレートＰを着脱部品３に対して位置決めする。
【００３６】
次に、操作者は、片手でグリップ部７１，７２を握ることによって押圧部６と着脱部品３とを閉じる。これにより、骨プレートＰの受け部１１ａ，１１ｂ間に配置される部分が、押圧部６によって凹部１２内へ向かって押圧されて曲げられる。押圧部６が骨プレートＰに作用させる押圧力の大きさは、操作者がグリップ部７１，７２に加える握力に応じて変化し、握力が強い程、押圧力も強くなる。
【００３７】
ベンダ１をテーブルタイプで使用する場合、操作者は、頑丈なテーブルの天板等の水平な台の上に台座２０を配置し、図２に示されるように、台座２０にベンダ１を取り付ける。具体的には、取付部５に取り付けられた着脱部品３を先端支持部２３上に配置し、着脱部品３を位置決め機構１５，２６によって先端支持部２３に対して位置決めする。また、第１グリップ部７１の基端部を基端支持部２２上に配置し、第１グリップ部７１の基端部を固定機構１４，２５ａ，２５ｂによって基端支持部２２に固定する。次に、ハンドタイプのときと同様に、操作者は、着脱部品３と押圧部６との間に骨プレートＰを挿入して受け部１１ａ，１１ｂ上に骨プレートＰを載置し、骨プレートＰを着脱部品３に対して位置決めする。
【００３８】
次に、操作者は、第２グリップ部７２を第１グリップ部７１に向かって下方に押圧することによって押圧部６を着脱部品３に対して閉じる。これにより、骨プレートＰの受け部１１ａ，１１ｂ間に配置される部分が、押圧部６によって凹部１２内へ向かって押圧されて曲げられる。このときに、操作者は、例えば第２グリップ部７２に自身の体重をかけながら両手で第２グリップ部７２を押圧することによって、ハンドタイプの場合よりも大きな押圧力を骨プレートＰに作用させることができる。
【００３９】
このように、本実施形態によれば、ハンドタイプのベンダ１の操作部７に、操作部７を台座２０に固定するためのベンダ側固定機構１４が設けられている。したがって、必要に応じてベンダ１を台座２０に取り付けてテーブルタイプとして使用することができる。テーブルタイプでの使用において、操作者が力を加える操作部７が台座２０に固定されているので、操作部７に安定的に力を加えることができる。
【００４０】
また、取付部５と接続されている第１グリップ部７１にベンダ側固定機構１４が設けられ、押圧部６と接続されている第２グリップ部７２が、台座２０に固定された第１グリップ部７１に対して揺動する。したがって、曲げ加工時、骨プレートＰは台座２０に対して一定位置に静止し、押圧部６が骨プレートＰに対して移動する。これにより、曲げ加工時に骨プレートＰが移動してしまうことを防止し、骨プレートＰの所望の部分を確実に押圧して曲げることができる。
また、ベンダ１の先端に取り付けられた着脱部品３が位置決め機構１５，２６によって台座２０に対して位置決めされているので、操作部７への力の印加時にベンダ１の先端が動いてしまうことを防止することができる。
【００４１】
また、ベンダ側固定機構１４およびベンダ側位置決め機構１５が、通し穴および溝のような凹部から構成されている。すなわち、ベンダ側固定機構１４およびベンダ側位置決め機構１５のためにベンダ１に機械的な部品を追加する必要が無い。したがって、製造、取り扱いおよびメンテナンスが容易なベンダ１を実現することできる。さらに、凹部は、突起のような凸部とは異なり、操作者による操作部７および着脱部品３の操作の邪魔になることがない。したがって、ベンダ１はハンドタイプとしても好適に使用することができる。
【００４２】
前述したように、テーブルタイプは、ハンドタイプよりも大きな押圧力を骨プレートＰに作用させることができるので、ハンドタイプでの曲げ加工な困難である剛性の高い骨プレートＰを使用する際に利用される。したがって、ハンドタイプで曲げ加工が可能な骨プレートＰのみを使用する操作者に対しては、ベンダ１が単体で提供されてもよい。
【００４３】
上記実施形態において、図６に示されるように、ベンダ１が、第２グリップ部７２に着脱可能である延長グリップ部４３をさらに備えていてもよい。延長グリップ部４３は、テーブルタイプにおいて使用される。
延長グリップ部４３の先端部が第２グリップ部７２の基端部に固定され、延長グリップ部４３は、第２グリップ部７２の長手方向に沿って連結部８ｂとは反対方向に延びる。操作者が力を加える力点が連結部８ｂから遠い程、第２グリップ部７２を押圧するために必要な力が小さくなる、または、より大きな押圧力を第２グリップ部７２に加えることができる。したがって、テーブルタイプでの使用時、操作者は、延長グリップ部４３を下方に押圧することによって、より小さい力で骨プレートＰを曲げることができる、または、より大きな押圧力を骨プレートＰに作用させることができる。
【００４４】
上記実施形態において、ベンダ側固定機構１４が通し穴であることとしたが、ベンダ側固定機構１４の具体的な形態は、第１グリップ部７１を台座２０に固定解除可能に固定することができる限りにおいて変更してもよい。ベンダ側固定機構の形態に応じて台座側固定機構の形態も変更される。
例えば、ベンダ側固定機構および台座側固定機構の一方が、穴または溝のような凹部を有し、ベンダ側固定機構および台座側固定機構の他方が、凹部内に挿入される凸部を有し、凹部内に挿入された凸部がねじ等の固定部材によって固定されてもよい。
あるいは、ベンダ側固定機構は、第１グリップ部７１に取り付けられ、第１グリップ部７１を基端支持部２２に固定するための機械的な部品を有していてもよい。
【００４５】
上記実施形態において、ベンダ側位置決め機構１５が溝であることとしたが、位置決め機構１５の具体的な形態は、着脱部品３を台座２０に一時的に位置決めすることができる限りにおいて変更してもよい。ベンダ側位置決め機構の形態に応じて台座側位置決め機構の形態も変更される。
例えば、ベンダ側位置決め機構が凸部を有し、台座側位置決め機構が、凸部が挿入される凹部を有していてもよい。
あるいは、ベンダ側位置決め機構は、着脱部品３に取り付けられ、着脱部品３を先端支持部２３に対して位置決めするための機械的な部品を有していてもよい。
【００４６】
上記実施形態において、ベンダ側位置決め機構１５は必ずしも設けられていなくてもよい。
テーブルタイプでの使用時、操作者が力を加える操作部７の位置が安定していることが重要である。つまり、着脱部品３が台座２０に対して位置決めされていない状態であっても、操作部７が台座２０に固定されていれば、操作部７に力を安定的に加えることができる。
【００４７】
上記実施形態において、操作部７が、連結部８ｂにおいて相互に揺動可能に連結された２つのグリップ部７１，７２を有し、グリップ部７１，７２が閉じることによって取付部５および押圧部６が閉じることとしたが、操作部７の具体的な構成はこれに限定されるものではなく、操作者が操作部７に加えた外力に従って取付部５および押圧部６が相互に閉じることができる限りにおいて、ベンダ本体２の構成を変更してもよい。
【００４８】
例えば、ベンダ本体２は、グリップ部７１，７２が相互に開くことによって取付部５および押圧部６が相互に閉じるように構成されていてもよい。この場合、ハンドタイプでの使用時、操作者は、一方の手に第１グリップ部７１を把持し、他方の手に第２グリップ部７２を把持し、両手を使用してグリップ部７１，７２を開くことができる。
【００４９】
上記実施形態において、受け部１１ａ，１１ｂが、骨プレートＰの平坦な表面と面接触する平坦面であることとしたが、受け部１１ａ，１１ｂの形状はこれに限定されるものではなく、骨プレートＰを安定に支持することができる限りにおいて受け部１１ａ，１１ｂの形状を変更してもよい。例えば、凹部１２が略半円筒状の内面を有する略半円柱状の窪みである場合、略半円筒状の内面の周方向の両端部を、骨プレートＰを支持する受け部１１ａ，１１ｂとして用いてもよい。また、各受け部１１ａ，１１ｂは、骨プレートＰの表面と線接触または点接触する形状を有していてもよい。受け部１１ａ，１１ｂの具体的な形状は、受け部１１ａ，１１ｂが接触する骨プレートＰの表面の形状に応じて選択することができる。
【００５０】
上記実施形態において、着脱部品３が、骨プレートＰを支持する支持部として、相互に空間をあけて配置された２つの受け部１１ａ，１１ｂを有することとしたが、支持部の具体的な構成はこれに限定されるものではなく、押圧部６の動作を妨げることなく骨プレートＰを支持することができる限りにおいて、支持部の構成を変更してもよい。
【符号の説明】
【００５１】
１  ベンダ
２  ベンダ本体
３  着脱部品
５  取付部
６  押圧部
７  操作部
７１  第１グリップ部
７２  第２グリップ部
８ａ，８ｂ  連結部
１１ａ，１１ｂ  受け部
１４  ベンダ側固定機構、凹部、通し穴
１５  ベンダ側位置決め機構、凹部、溝
２０  台座
２２  基端支持部
２３  先端支持部
２５ａ  台座側固定機構、ねじ穴
２５ｂ  台座側固定機構、ねじ
２６  台座側位置決め機構、突起
４３  延長グリップ部
１００  ベンダシステム
Ｐ  骨プレート
【要約】
【課題】ハンドタイプおよびテーブルタイプのいずれでも使用することができる。
【解決手段】ベンダ１は、ベンダ本体２と、ベンダ本体２に取り外し可能に取り付けられ骨プレートを支持する着脱部品３とを備え、ベンダ本体３が、操作者の手に把持され操作者によって手動操作される操作部７を有し、操作部７に加えられた外力に応じた曲げ力を着脱部品３に支持された骨プレートに作用させ、操作部７に、ベンダ１を支持する台座２０に操作部７を取り外し可能に固定するためのベンダ側固定機構１４が設けられている。
【選択図】図１【図１】
0006902130.tif 000002
【図２】
0006902130.tif 000003
【図３】
0006902130.tif 000004
【図４】
0006902130.tif 000005
【図５】
0006902130.tif 000006
【図６】
0006902130.tif 000007